(57)【要約】      （修正有）【課題】患者が薬の服用を忘れることを防止し、医師が処方した薬を患者が医師の指示通りに服用しているか、を確認及び指導することができるＰＴＰ錠剤取出し検出装置を提供する。【解決手段】ＰＴＰ包装体２１を載置するとともにＰＴＰ錠剤２２の落下孔４を有するＰＴＰ包装体支持部３と、前記ＰＴＰ錠剤２２の落下孔４に向けて下降自在の錠剤押圧杆６と、該錠剤押圧杆６による前記ＰＴＰ錠剤２２の取出しを検知する検知器８と、からなる。【選択図】図２
2019107258.tif 000002
【特許請求の範囲】
【請求項１】
ＰＴＰ包装体を載置するとともにＰＴＰ錠剤の落下孔を有するＰＴＰ包装体支持部と、前記ＰＴＰ錠剤の落下孔に向けて下降自在の錠剤押出杆と、該錠剤押圧杆による前記ＰＴＰ錠剤の取出しを検知する検知器と、からなることを特徴とするＰＴＰ錠剤の取出し検出装置。
【請求項２】
前記検知器がＰＴＰ錠剤の取出しを検知するとともに電波発信機能を有することを特徴とする請求項１に記載のＰＴＰ錠剤の取出し検出装置。
【請求項３】
前記検知器がＰＴＰ錠剤の取出しを検知するとともに音声発生機能を有することを特徴とする請求項１又は２に記載のＰＴＰ錠剤の取出し検出装置。
【請求項４】
前記検知器がＰＴＰ錠剤の取出しを検知するとともに画像表示機能を有することを特徴とする請求項１、２又は３に記載のＰＴＰ錠剤の取出し検出装置。
【請求項５】
前記ＰＴＰ錠剤の取出し検出装置が処方された薬及び服用情報の読み込みが  可能であるとともに服用者によって載置された薬を確認するリーダを有することを特徴とする請求項１、２，３又は４に記載のＰＴＰ錠剤取出し検出装置。
【発明の詳細な説明】
【技術分野】
【０００１】
本発明は、ＰＴＰ取出し検出装置に関する。
【背景技術】
【０００２】
現在、医療現場において多くのＰＴＰ錠剤が患者に処方及び提供されている。しかし、医師が処方及び提供した薬を患者が医師の指示通りに服用したか、否か、は患者に確認することで行われている。
【０００３】
しかしながら、患者が薬の服用を忘れていたり、服用していないにも関わらず服用していると報告する場合もある。このような場合に、医師は処方した薬が適切でなかったと判断して新たな薬を処方することが考えられる。このような事態は患者の病気治療に悪影響を与える可能性があるとともに医療費の高騰を招く怖れがある。
【０００４】
前記事情に鑑み、従来、ＲＦＩＤとＲＦＩＤタグから情報を読み取るリーダライタとを備えた薬剤管理システムが提案されている。該薬剤管理システムにおいて、ＲＦＩＤタグは、格子状に配置された複数のセルを有する薬剤用パッケージ１に実装されていた。各セルは、破断可能壁およびこの破断可能壁に設けられた切断可能導線によって密閉されている。ＲＦＩＤタグは、切断可能導線の断線を検知してセルに穴か開いたことを検知し、このことから各セルに入っている薬がどのくらい使用されたかを監視していた。このように薬剤管理システムにおいては、ＲＦＩＤが監視して得た監視情報をリーダライタで読み取り、薬の服用管理することが提案されている（特許文献１）。
【先行技術文献】
【特許文献】
【０００５】
【特許文献１】特表２００５−５３９３００号公報
【発明の概要】
【発明が解決しようとする課題】
【０００６】
本発明は、患者が薬の服用を忘れることを防止し、医師が処方した薬を患者が医師の指示通りに服用しているか、を確認及び指導することができるＰＴＰ錠剤の取出し検出装置を提供することを目的とする。
【課題を解決するための手段】
【０００７】
本発明に係るＰＴＰ錠剤取出し検出装置は、ＰＴＰ包装体を載置するとともにＰＴＰ錠剤の落下孔を有するＰＴＰ包装体支持部と、前記ＰＴＰ錠剤の落下孔に向けて下降自在の錠剤押圧杆と、該錠剤押圧杆による前記ＰＴＰ錠剤の取出しを検知する検知器とからなることを特徴とする（請求項１）。
【０００８】
前記構成の本発明は、薬の服用時刻になったら、患者がＰＴＰ包装体をＰＴＰ包装体支持部の所定の位置、すなわち、ＰＴＰ包装体支持部の落下孔の位置にＰＴＰ錠剤を載置したのち前記錠剤押圧杆を下降させる。
【０００９】
その結果、ＰＴＰ包装体の底部シートが破れ、ＰＴＰ錠剤のみが前記落下孔を通過して下方に取り出される。この状態が検知器によって検知されてＰＴＰ錠剤の患者による薬の取出し（服用）が確認される。
【００１０】
つぎの段階として、前記の検知器の検知信号を利用して患者以外の人が患者による薬の取出しを確認することができる。また、服用時間に検知信号が無い場合には薬の取出しが行われなかったことを確認することができる。
【００１１】
本発明の実施の一形態は、前記検知器がＰＴＰ錠剤の取出しを検知するとともに電波発信機能を有することを特徴とする（請求項２）。この実施の一形態によれば、検知器が発信した電波を患者から離れた場所でスマートホン、タブレット端末、ウエアラブル端末等で受信して患者によって薬の取出しが行われたことを確認及び監視することができる。
【００１２】
本発明の実施の一形態は、前記検知器がＰＴＰ錠剤の取出しを検知するとともに音声発生機能を有することを特徴とする（請求項３）。この実施の一形態によれば、周辺にいる患者以外の人が音声を聞いて患者によって薬の取出しが行われたことを確認することができる。
【００１３】
本発明の実施の一形態は、前記検知器がＰＴＰ錠剤の取出しを検知するとともに画像表示機能を有することを特徴とする（請求項４）。この実施の一形態によれば、患者及び患者以外の人が視覚により患者によって薬の取出しが行われたことを確認することができる。
【００１４】
本発明の実施の一形態は、ＰＴＰ錠剤取出し検出装置が、処方された薬及び服用情報の読み込みが可能であるとともに服用者によって載置された薬を確認するリーダを有することを特徴とする（請求項５）。
【００１５】
この実施の一形態によれば、処方された薬及び服用の情報を予めリーダに読み込ませておくことにより、該情報と服用者がＰＴＰ錠剤取出し検出装置に載置した薬とを見比べてマッチングした場合に薬の服用が正しく行われる。
【００１６】
反対に服用者がＰＴＰ錠剤取出し検出装置に載置した薬と処方された薬及び服用条件が異なる場合にはＰＴＰ錠剤取出し検出装置が注意信号を発したり、さらにＰＴＰ錠剤取出し検出装置の錠剤押圧杆の下降を自動ロックしたりして誤った薬及び服用を防止することができる。
【００１７】
前記処方された薬及び服用情報は電子手帳及び処方箋によって得られる。その他、薬の情報はＰＴＰ包装体あるいは錠剤に直接に付されたバーコード、ＱＲコード（登録商標）などから得られる。
【発明の効果】
【００１８】
本発明によれば、患者が薬の服用を忘れることを防止し、医師が処方した薬を患者が医師の指示通りに服用しているか、を確認及び指導することができる。
【図面の簡単な説明】
【００１９】
【図１】本発明の実施の一形態を示すＰＴＰ錠剤の取出し検出装置の斜視図である。
【図２】本発明の実施の一形態を示すＰＴＰ錠剤の取出し検出装置の構造図である。
【図３】本発明の実施の一形態を示すＰＴＰ錠剤の取出し検出装置の使用状態を示す参考図である。
【図４】ＰＴＰ包装体の断面図である。
【図５】ＰＴＰシートの斜視図である。
【発明を実施するための形態】
【００２０】
図面を参照して、本発明の実施の一形態について以下に説明する。
【００２１】
図５はＰＴＰシート５であり、その表面には、複数のＰＴＰ包装体２１が並列配置されている。
【００２２】
ＰＴＰ包装体２１は、図４に示すように、錠剤２２が置かれるアルミ箔等の底部シート２３と該底部シート２３上に置かれた前記錠剤２２を上方から包み込む半円状部を有する上部シート２４とで構成されている。
【００２３】
前記底部シート２３はアルミ箔などの容易に破ることができる素材であり、前記上部シート２４を押圧すると錠剤２２によって破れて錠剤２２の取出し口となるものである。
【００２４】
本発明のＰＴＰ錠剤取出し検出装置Ａは、図１及び図２に示す通り、略コ字状の枠体１からなる。そして、枠体１の下片２が前記ＰＴＰ包装体２１の支持部３とされる。さらに、該ＰＴＰ包装体支持部３の略中央部には前記錠剤２２が通過する落下孔４が形成される。
【００２５】
一方、前記枠体１の上片５には、前記下片２に形成された落下孔４に向けて前記錠剤２２を前記落下孔４から落下させる上下動自在の錠剤押圧杆６が設けられる。
【００２６】
該錠剤押圧杆６は下降させたのち、上方の定位置に復帰自在に構成される。また、錠剤押圧杆６の上端には錠剤２２の取出し時に必要とする押圧力を検知する圧力センサ７が設けられる。
【００２７】
さらに、前記錠剤押圧杆６の下降操作による前記錠剤２２の取出しを検知する検知器８が設けられる。なお、図面実施例では、前記落下孔４から落下する錠剤２２の動きを検知する位置に設けられている。もっとも検知器８はカメラ、近接スイッチ、その他の機器であってもよい。また、前記錠剤押圧杆６の下降幅を検知してもよい。
【００２８】
図中、９は処方された薬及び服用情報を読み込み可能であるとともに服用者が載置した薬を上方あるいはその他の方向から確認するリーダである。１０は前記リーダ９の読み取り内容を表示する画像表示部（ディスプレイ）、１１は通信端末、１２は音声発生装置（スピーカ）、１３は電池である。
【００２９】
前記構成の本発明によれば、通信端末１１からの発信電波を患者から離れた場所でスマートホン、タブレット端末、ウエアラブル端末等で受信して患者によって薬の取出し（服用）が行われたことを確認することができる。
【００３０】
また、その他、前記画像表示部１０により薬及び服用情報を目で確認することができる。さらに音声発生装置１２によって薬の取出しが行われたことを音声で確認することができる。
【００３１】
図３に本発明のＰＴＰ錠剤の取出し検出装置Ａの使用状態の一例を示す。ＰＴＰ包装体２１あるいはＰＴＰ錠剤２２には薬に関する情報がバーコード、ＱＲコード（登録商標）によって表示されている。お薬手帳１４にも同様の情報が電子的あるいは記述されている。それらの情報が前記ＰＴＰ錠剤の取出し検出装置Ａの前記リーダ９にインプットされる。
【００３２】
別に前記情報は、服用予定データ１５として、医局、家族、担当医などが保有する。この状態において、患者は本発明のＰＴＰ錠剤取出し検出装置Ａにより薬の取出し（服用）を継続する。この実際の錠剤取出し（服用）情報が服用データ１６としてアウトプットされ、前記服用予定データ１５との突合せ１７が行われる。
【００３３】
そして、突合せ結果が、医局、家族、担当医などに伝えられ、薬の取出し（服用）が処方通り行われているか、全く行われていない、などの情報を得ることができる。そしてその後に正しい服用、その他の指導が行われる。
【００３４】
さらに前記実施の一形態のように、前記服用予定データ１５を予めリーダに読み込ませておき、該情報と服用者が前記ＰＴＰ錠剤取出し検出装置Ａに載置した薬を読み取り及び見比べてマッチングした場合を確認して薬の服用を行うことが好ましい。
【００３５】
反対に服用者が前記ＰＴＰ錠剤取出し検出装置Ａに載置した薬と処方された薬及び服用条件とが異なる場合にはＰＴＰ錠剤取出し検出装置Ａが注意信号を発したり、さらに進んでＰＴＰ錠剤取出し検出装置Ａの錠剤押圧杆の下降を自動ロックして誤った服用を防止することもできる。
【産業上の利用可能性】
【００３６】
本発明は、患者が薬の服用を忘れることを防止するとともに、医師が処方した薬を患者が医師の指示通りに服用するように指導することができ、産業上極めて有用である。
【符号の説明】
【００３７】
３    ＰＴＰ包装体支持部４    落下孔６    錠剤押圧杆８    検知器２１  ＰＴＰ包装体２２  ＰＴＰ錠剤
【図１】
2019107258.tif 000003
【図２】
2019107258.tif 000004
【図３】
2019107258.tif 000005
【図４】
2019107258.tif 000006
【図５】
2019107258.tif 000007